(57)【要約】      （修正有）【課題】一辺だけ留めてある横１３ｃｍ、縦８ないし９ｃｍ程度の冊子を使って計算する伝票算方式を活用して、問題が表示されている伝票用紙をめくりながら漢字を読み取って解答用紙にその読みを書き込んでいき、漢字の読みの習得向上と、珠算の伝票算の計算のように１単位の冊子に２０数題の問題を長くても２分又は３分以下の制限時間内に書き終える練習ができる伝票算式送り仮名付き漢字の読み問題集を提供する。【解決手段】伝票用紙４の中央部に、その伝票用紙ごとに異なる送り仮名付き漢字５を印刷し、その伝票用紙を複数枚を重ねてその左上肩を留めて冊子にし、上記漢字問題は、語尾が「い」又は「う」又は「く」又は「な」等で終わるようにすると共に、冊子の中で頁数が大きくなるにしたがって難易度を高くし、当該冊子を複数冊を揃えて番号が大きくなるしたがって難易度を高くする。【選択図】図２
0003186610.tif 000002
【実用新案登録請求の範囲】
【請求項１】
伝票用紙(4)の中央部に、その伝票用紙ごとに異なる送り仮名付き漢字(5)を印刷表示し、当該伝票用紙(4)を複数枚重ねてその左上肩を留め具(2)で留めて表紙(3)付き冊子(1)に構成したことを特徴とする伝票算式送り仮名付き漢字読み問題集。
【請求項２】
漢字(5)の送り仮名の語尾が国語の「い」又は「う」又は「く」又は「な」、その他国語の五十音の仮名文字で終わるようにした請求項１記載の伝票算式送り仮名付き漢字読み問題集。
【請求項３】
伝票用紙(4)の枚数を２０枚以上に設定すると共に、頁数が大きくなるにしたがって難易度を高くし、且つ、送り仮名付き漢字(5)を印刷表示した冊子(1)を複数冊揃え、冊子番号が大きくなるにしたがって難易度を高くしてある請求項１又は２記載の伝票算式送り仮名付き漢字読み問題集。
【考案の詳細な説明】
【技術分野】
【０００１】
本考案は、珠算において、一辺だけ紙綴器で綴じてある横１３ｃｍ、縦８ｃｍないし９ｃｍ程度の冊子を使って計算する伝票算の計算方式を活用して、伝票用紙をめくりながら漢字を読んで解答用紙にその読みを書き込んでいき、漢字の読みの理解向上と、珠算の伝票算のめくり速度の向上と、１册の冊子に２０数題の問題を２又は３分程の制限時間内に書き終える学習ができる伝票算式送り仮名付き漢字読み問題集に関するものである。
【背景技術】
【０００２】
一般に、漢字の読み書きを学んだり、その学習や訓練するには、種々の方式が存在している。例えば、Ｂ５判又はＡ４判程度の用紙に複数の問題を複数表示し、その問題の数に応じた解答書込み欄が一体になっているもの又は別々に分かれているもの等がある。
【０００３】
また、珠算の種目にある伝票算のように１枚の伝票に数題の問題を表示して一辺を留めて冊子にした問題集も存在する。
【先行技術文献】
【特許文献】
【０００４】
【特許文献１】登録第３０４４８３１号登録実用新案公報
【特許文献２】登録第３０６１４０２号登録実用新案公報
【特許文献３】特開平８−５４８２１号特許公開公報
【特許文献４】実開昭５５−９９５５３号登録実用新案公報
【０００５】
特許文献１の構成は、Ｂ５判又はＡ４判程度の比較的大きい１枚の用紙に印刷表示された漢字の読み問題とその解答を書き込む欄が設けられている。特許文献２の構成は、Ｂ５判又はＡ４判程度の比較的大きい１枚の用紙に漢字の読みと書き込み問題用紙と解答用紙を別々に分かれているものである。また、特許文献３の構成は、伝票算問題が表示されている伝票の留め方構造に関するもの、特許文献４の構成は、伝票算問題が表示されている伝票の留め方を左利きの人に対応できるようにしたものである。
【考案の概要】
【考案が解決しようとする課題】
【０００６】
上記の特許文献１及び２にあっては、伝票算の伝票サイズの用紙に問題や解答を表示することは全く想定していない。また、特許文献３および４のにあっては、伝票７に数字以外の漢字等の文字を表示して冊子にすることは全く想定外のことである。
【課題を解決するための手段】
【０００７】
そこで、本考案は従来には全く存在しない伝票算形式で複数の漢字の読みを短時間で解答用紙に書き込む練習に適する考案を提供するものである。
【０００８】
本考案の第１は、伝票算式送り仮名付き漢字読み問題集において、伝票用紙の中央部に、その伝票用紙ごとに異なる送り仮名付き漢字を印刷表示し、当該伝票用紙を複数枚を重ねてその左上肩を留め具で留めて表紙付き冊子を構成したものである。
【０００９】
本考案の第２は、第１の考案に係る伝票算式送り仮名付き漢字読み問題集において、漢字の送り仮名の語尾が国語の「い」又は「う」又は「く」又は「な」、その他国語の五十音の仮名文字で終わるようにしたものである。
【００１０】
本考案の第３は、第１又は第２の考案に係る伝票算式送り仮名付き漢字読み問題集において、伝票用紙の枚数を２０枚以上に設定すると共に、頁数が大きくなるにしたがって難易度を高くし、且つ、送り仮名付き漢字を印刷表示した表紙付き冊子を複数冊揃え、冊子番号が大きくなるにしたがって難易度を高くしてあるものである。
【考案の効果】
【００１１】
本考案は上記の構成であるから、次のような効果がある。すなわち、珠算における伝票算種目の計算の要領で伝票をめくりながら漢字の読みをして、その答えを別に用意した解答用紙に書き込んでいくことにより、斬新でユニークな学習法で漢字読みを学ぶことができる。
【００１２】
そして、１冊の冊子において、めくる頁が進むごとに難易度が高くなり、また、同一の送り仮名、例えば漢字の語尾が国語の「い」で終わる冊子を複数冊揃え、その複数の冊子に付ける番号すなわち、バックナンバーが大きくなるほど難易度が高くなるように作成してあるので、知識の向上に役立つものである。
【００１３】
さらに、伝票用紙に表示された「漢字」の読みと同時に「送り仮名」の付け方の勉強になることも利点になる。
【００１４】
本考案は、特に珠算を習っている児童や生徒にとっては、段位伝票算のめくる練習にも通じて珠算の習得度の向上が図れる。
【図面の簡単な説明】
【００１５】
【図１】送り仮名の語尾が国語の「い」で終わる送り仮名付き漢字を伝票用紙に印刷表示した問題の難易度が(1)〜(5)までを示す表紙付き問題集を並べた斜面図である。
【図２】送り仮名の語尾が国語の「い」で終わる送り仮名付き漢字の難易度が(1)の表紙と、問題全２４問のうち、１−７問までを表示した伝票用紙の表面図である。
【図３】送り仮名の語尾が国語の「い」で終わる送り仮名付き漢字の難易度が(1)の８−１５問までを表示した伝票用紙の表面図である。
【図４】送り仮名の語尾が国語の「い」で終わる送り仮名付き漢字の難易度が(1)の１６−２３問までを表示した伝票用紙の表面図である。
【図５】送り仮名の語尾が国語の「い」で終わる送り仮名付き漢字の難易度が(1)の２４問目を表示した伝票用紙の表面図である。
【図６】送り仮名の語尾が国語の「う」で終わる送り仮名付き漢字を伝票用紙に印刷表示した問題の難易度が(1)〜(5)までを示す表紙付き問題集を並べた斜面図である。
【図７】送り仮名の語尾が国語の「く」で終わる送り仮名付き漢字を伝票用紙に印刷表示した問題の難易度が(1)〜(5)までを示す表紙付き問題集を並べた斜面図である。
【図８】送り仮名の語尾が「な」で終わる漢字を伝票用紙に印刷表示した問題の難易度が(1)〜(10)までを示す表紙付き問題集を並べた斜面図である。
【図９】図２〜図５の送り仮名付き漢字読み問題の解答記入用紙である。
【図１０】図２〜図５の問題で間違えた「送り仮名付き漢字よみ」を書き込む書き込み欄とその読みの書き込み欄を表示した解答記入用紙の裏面図である。
【図１１】送り仮名の語尾が国語の「い」で終わる難易度１の送り仮名付き漢字読み問題の図２−図５の正答及び難易度が２−５の正答表示紙である。
【考案を実施するための形態】
【００１６】
本考案の実施形態は次のとおりである。１枚の伝票用紙の中央部に国語の「い」又は「う」又は「く」又は「な」で終わる送り仮名漢字を印刷表示し、且つ漢字の送り仮名の語尾が国語の「い」又は「う」又は「く」又は「な」で終わるようにし、その伝票用紙が２０数枚に設定すると共に、頁数が大きくなるにしたがって難易度を上げ、且つ、送り仮名漢字を印刷した冊子を複数冊に分けてバックナンバーが多くなるに従って漢字の読みの難易度を高くしてある。
なお、上記送り仮名付き漢字の語尾が国語の「い」で終わる言葉は形容詞が多く、「う」で終わる言葉は動詞が多い。また、「く」で終わる言葉は動詞、「な」で終わる言葉は形容動詞が多い。
【実施例】
【００１７】
以下、本考案について実施例を説明する。図１において１は複数枚の横長の伝票用紙を重ねてその左上肩を紙綴針等の留め具２で綴じてなる表紙付き冊子であり、伝票用紙と共に横１３ｃｍ、縦８ｃｍないし９ｃｍ程に設定してある。３は問題冊子の表表紙であり、冊子１の表題を表す記述（頭脳を柔らかくする  伝票算）３ａ、冊子の内容を表す記述（国語「い」で終わることば）３ｂ、漢字の難易度を表す符号ないし数字３ｃ、答えを書く制限時間を表す記述３ｄが印刷表示されている。４は冊子を構成する複数枚の漢字問題を記載した伝票用紙であり、その伝票用紙ごとに異なる送り仮名付き漢字５を当該伝票用紙の中央部に印刷表示してある。ちなみに、「伝票算」とは、珠算において、一辺だけを留めてある横長の冊子を使って計算する種目であり、左手でめくって右手で計算するものを意味する。また、「送り仮名」とは、漢字表記した和語を読みやすくしたものであり、横書きの場合は漢字の右に付し、縦書きの場合は漢字の下に付す仮名のことである。６は伝票用紙の右上肩部に表示した頁を表す数字である。７は伝票用紙４に表示されている送り仮名付き漢字問題の答えを書き込むための解答用紙、８は誤答した送り仮名付き漢字問題を数題記入できるように復習欄を設けた解答用紙の裏面である。９は伝票用紙４に表示されている送り仮名付き漢字問題の正答を印刷表示した正答記載紙である。
【００１８】
図１ないし図５に示す難易度(1)の冊子１における伝票用紙４は、２４枚綴りとし、各伝票用紙には送り仮名付き漢字５が表示され、国語の「い」で終わる言葉として、「親しい」、「良い」、「暗い」…「貧しい」等があり、頁番号が大きくなるにしたがって難易度が上がる送り仮名付き漢字問題が印刷表示されている。
ちなみに、図示は省略しているが、難易度(1)の国語の「う」で終わる言葉として、「合う」、「言う」、「思う」…「計らう」等があり、国語の「く」で終わる言葉として、「歩く」、「聞く」、「書く」…「巻く」等があり、及び難易度(1)の国語の「な」で終わる言葉として、「十分な」、「元気な」「安らかな」…「上手な」等があり、これらも頁番号が大きくなるにしたがって難易度が高くなる送り仮名付き漢字問題が印刷表示された伝票用紙４が２４枚綴じられている。
【００１９】
[具体的な学習法１（冊子１冊単位で解答し、誤解答を解答用紙裏面の復習欄に書き込んで覚えていく学習法）]
(Ａ)  本考案に係る漢字の読み問題の学習に当たっては、まず、机上に送り仮名付き漢字の国語「い」で終わることばで、難易度(1)の冊子１と、その右側に解答用紙７を置き、解答者が着席して珠算における伝票算の計算のように左手で伝票算用紙の右下隅を素早くめくりながら伝票用紙４の中央部に表示されている漢字５を読み取って、解答用紙７にその漢字の読みを書き込んでいく。１冊当たりの全問題２４問の答えを記入する時間は、２分又は３分と決め、解らない問題はとばして制限時間内に１冊を終わらすようにする。
（Ｂ）答えを書き終わったら別途用意してある正答記載紙９を用いて答え合わせをし、間違った答えのうち、特に重要と思われるものは、「ふくしゅう」欄８１に送り仮名付き漢字を書き写すと共に、その読みを「よみ」欄８２に書き込む。
【００２０】
[具体的な学習法２（難易度を高くしていく学習法）]
（Ａ）  次に、上記の段落[００１９]の難易度(1)の送り仮名付き漢字の国語「い」で終わることばの冊子１の解答が終わったら、同じ国語「い」で終わることばの難易度(2)の冊子の問題に進み、同じ制限時間内で解くようにする。
以後、問題冊子１の語尾が「い」で終わる問題難易度(3)、(4)、(5)と進んで一つの課程を終了する。
（Ｃ）  そして、解答用紙８と正答記載紙９を比べて答え合わせを行う。
（Ｄ）  間違った答えのうち、特に重要と思われるものは、「ふくしゅう」欄８１に送り仮名付き漢字を書き写すと共に、その読みを「よみ」欄８２に書き込む。
（Ｄ）  なお、１回の学習に１冊単位で行い、これを継続して学習する方法も実施できる。
【００２１】
[具体的な学習法３（難易度が同じ程度で送り仮名の語尾が異なる学習法）]
（Ａ）  上記段落[００１９]における送り仮名漢字の国語「い」で終わることばで、難易度(1)の冊子１の問題を制限時間内で解き、その答えを解答用紙７に書き込んでいく。
（Ｂ）  １冊の問題を解き終わったら、次に、国語の「う」で終わることばで、難易度(1)の冊子１の問題を制限時間内で解く。続いて、国語の「く」で終わることばで、難易度(1)の冊子１の問題を制限時間内で解く。さらに、国語の「な」で終わることばで、難易度(1)の冊子１の問題を制限時間内で解く。
（Ｄ）  これによって難易度が同じ程度で、多数の送り仮名の語尾が異なる漢字の読みの課程を終了する。そして、解答用紙７と正答記載紙８を比べて答え合わせを行う。
【産業上の利用可能性】
【００２２】
本考案は、形容詞や動詞の漢字とその送り仮名の組み合わせの例を示すが、国語の「い」、「う」、「く」、「な」のほか、「む」や「る」で終わる言葉やその他、語尾が国語の５０音の仮名文字で終わる語を選択して送り仮名付き漢字の問題集を作成することが可能である。
また、難易度も国語の「く」で終わる送り仮名付き漢字の難易度を(1)から(10)まで高くしていくように、国語の「い」、「う」、「く」で終わる言葉の難易度も(10)まで上げることもできる。
そして、漢字のみの名詞や他の品詞を集めての問題集を作成して、学習に供することも可能である。
【符号の説明】
【００２３】
１…送り仮名付き漢字読み問題集
２…留め具
３…送り仮名付き漢字問題集の表紙
４…送り仮名付き漢字問題を表示した伝票用紙
５…漢字
６…頁を示す数字
７…解答用紙
８…解答用紙の裏面
９…正答記載紙
【図１】
0003186610.tif 000003
【図２】
0003186610.tif 000004
【図３】
0003186610.tif 000005
【図４】
0003186610.tif 000006
【図５】
0003186610.tif 000007
【図６】
0003186610.tif 000008
【図７】
0003186610.tif 000009
【図８】
0003186610.tif 000010
【図９】
0003186610.tif 000011
【図１０】
0003186610.tif 000012
【図１１】
0003186610.tif 000013